(57)【特許請求の範囲】
【請求項１】
所定の高さから地表面の光学画像を２台のカメラで取得し、高さデータを含む光学画像情報を取得する光学画像取得手段と、
所定の高さから地表面の高さ情報をレーザ測量にて取得するレーザ測量手段と、
前記光学画像情報を取得した位置と前記レーザ測量を行った位置の座標情報を取得する座標取得手段と、
前記光学画像情報に含まれる高さ情報と前記レーザ測量にて取得された高さ情報との相似性及び前記座標情報とに基づき、前記光学画像と前記レーザ測量にて取得された高さ情報とを合成する合成手段と、
を備えることを特徴とする空間情報データベース生成装置。
【請求項２】
請求項１記載の空間情報データベース生成装置において、前記合成手段は、前記光学画像から正射投影図を生成し、前記正射投影図から作成した数値表層モデルの高さ情報を各対象物毎に一塊化するとともに、前記レーザ測量にて取得された高さ情報を各対象物毎に一塊化し、前記一塊化した各対象物の位置情報に基づいて前記光学画像に前記レーザ測量にて取得された高さ情報を合成することを特徴とする空間情報データベース生成装置。
【請求項３】
コンピュータに、
高さデータを含む光学画像から正射投影図を生成し、
前記正射投影図から作成した数値表層モデルの高さ情報を各対象物毎に一塊化し、
レーザ測量にて取得された高さ情報を各対象物毎に一塊化し、
前記一塊化した各高さ情報の相似性及び各対象物の位置情報に基づいて前記光学画像に前記レーザ測量にて取得された高さ情報を合成する処理を実行させることを特徴とする空間情報データベース生成プログラム。
【発明の詳細な説明】
【技術分野】
【０００１】
本発明は、空間情報データベース生成装置及び空間情報データベース生成プログラムに関する。
【背景技術】
【０００２】
従来より、地表面の形状を測量する方法が種々開発されている。例えば、航空機または人工衛星を用いた測量では、光学カメラにより取得した画像により平面位置を測量するとともに、上記画像をオーバーラップして撮影し、画像が重なる領域をステレオ処理することにより対象物の高さデータを取得する。下記特許文献１には、人工衛星から光学カメラにより取得したステレオ画像により地表面の三次元データベースを生成する技術が開示されている。
【特許文献１】特開２００３−１４１５７５号公報
【発明の開示】
【発明が解決しようとする課題】
【０００３】
しかし、上記従来の技術においては、光学カメラを使用した測量であるので、測量精度、特に高さ情報の精度を高くすることができないという問題があった。
【０００４】
ここで、高さ情報の測量精度を高くするためにはレーザ測量を行うことが考えられる。しかし、上記特許文献１の第０００９段落にも記載されているように、従来はレーザ測量により収集した高さデータの集まりから一塊のオブジェクト（建物等）を抽出する技術がまだ確立されていないため、光学カメラにより取得した写真画像に基づいて手動にて建物の輪郭を指定し、高さデータをオブジェクト単位に纏める必要があった。また、上記オブジェクトと写真画像とを合成しようとしても、レーザ測量と光学カメラによる測量とでは互いに別の機材でデータが収集されているため、観測座標系が異なり、容易に位置合わせを行うことができないという問題もあった。
【０００５】
本発明は、上記従来の課題に鑑みなされたものであり、その目的は、高い測量精度を実現することができる空間情報データベース生成装置及び空間情報データベース生成プログラムを提供することにある。
【課題を解決するための手段】
【０００６】
上記目的を達成するために、請求項１記載の空間情報データベース生成装置の発明は、所定の高さから地表面の光学画像を取得する光学画像取得手段と、所定の高さから地表面の高さ情報をレーザ測量にて取得するレーザ測量手段と、前記光学画像を取得した位置と前記レーザ測量を行った位置の座標情報を取得する座標取得手段と、前記光学画像に含まれる高さ情報と前記レーザ測量にて取得された高さ情報との相似性及び前記座標情報とに基づき、前記光学画像と前記レーザ測量にて取得された高さ情報とを合成する合成手段と、を備えることを特徴とする。
【０００７】
請求項２記載の発明は、請求項１記載の空間情報データベース生成装置において、前記合成手段が、前記光学画像から正射投影図を生成し、前記正射投影図から作成した数値表層モデルの高さ情報を各対象物毎に一塊化するとともに、前記レーザ測量にて取得された高さ情報を各対象物毎に一塊化し、前記一塊化した各対象物の位置情報に基づいて前記光学画像に前記レーザ測量にて取得された高さ情報を合成することを特徴とする。
【０００８】
請求項３記載の空間情報データベース生成プログラムの発明は、コンピュータに、光学画像から正射投影図を生成し、前記正射投影図から作成した数値表層モデルの高さ情報を各対象物毎に一塊化し、レーザ測量にて取得された高さ情報を各対象物毎に一塊化し、前記一塊化した各対象物の位置情報に基づいて前記光学画像に前記レーザ測量にて取得された高さ情報を合成する処理を実行させることを特徴とする。
【発明の効果】
【０００９】
上記本発明によれば、高精度の空間情報データベースを生成することができる空間情報データベース生成装置及び空間情報データベース生成プログラムを実現できる。
【発明を実施するための最良の形態】
【００１０】
以下、本発明を実施するための最良の形態（以下、実施形態という）を、図面に従って説明する。
【００１１】
図１には、本発明にかかる空間情報データベース生成装置の一実施形態の構成例が示される。図１において、空間情報データベース生成装置は、光学カメラ１０、レーザ測量装置１２、座標取得装置１４及び制御装置１６を含んで構成されている。なお、本実施形態の空間情報データベース生成装置は、航空機または人工衛星から地表面の測量を行ったデータにより空間情報データベースを生成するものである。
【００１２】
光学カメラ１０は、例えばデジタルカメラにより構成され、地表面の光学画像を取得する。なお、図１では、光学カメラ１０が１台だけ記載されているが、同時に２方向から光学画像を取得してステレオ処理が可能となるように構成されている。これにより、三次元位置情報を含む光学画像情報を得ることができる。  
【００１３】
レーザ測量装置１２は、レーザ光の照射装置及び受光装置を含んで構成され、レーザ光を地表面に照射し、反射して戻ってくるまでの時間から距離を求め、地表面の高さ情報を取得する。この場合、レーザ光照射時の角度を考慮することで計測対象の３次元位置を計測することができる。なお、予め指定された計測範囲に対して所定の点数（例えば、２点／ｍ２）にて計測を行うので、測量結果としては、三次元位置情報と受光強度（レーザ反射強度）とを数値化した点群データ（三次元点群データ）と呼ばれる点データの集まりが得られる。なお、上記三次元位置情報には、後述する座標取得装置１４が取得する座標情報を含ませるのが好適である。
【００１４】
座標取得装置１４は、例えばＧＰＳ（Global Positioning System、全地球測位システム）受信機とＩＭＵ（Inertial Measurement Unit、慣性計測装置）とを含んで構成され、上記光学カメラ１０及びレーザ測量装置１２による測量位置の座標情報を取得する。取得した座標情報は、対応する光学画像及び三次元点群データに関連付けられる。
【００１５】
制御装置１６は、コンピュータ等のデータ処理装置により構成され、上記光学カメラ１０が取得した光学画像に含まれる高さ情報と上記レーザ測量装置１２が取得した高さ情報との相似性を求め、この相似性と上記座標取得装置１４が取得した座標情報とに基づき、上記光学画像に上記高さ情報を合成する。合成処理については後述する。
【００１６】
図２には、図１に示された空間情報データベース生成装置を航空機に搭載し、地表面の測量を行う場合の説明図が示される。図２において、航空機１００には、図１で述べた空間情報データベース生成装置のうち、少なくとも光学カメラ１０、レーザ測量装置１２及び座標取得装置１４が搭載されている。座標取得装置１４は、ＧＰＳ衛星（ナブスター衛星）１０２から所定の信号を受信し、ＩＭＵと協働して座標情報を取得する。この際、ＧＰＳ地上参照局（国土地理院電子基準局）１０４の補正データを使用して、上記取得した座標情報を補正してもよい。
【００１７】
航空機１００が測量地域の上空を飛行し、各測量点ａ，ｂ，…，ｉ，…で光学カメラ１０及びレーザ測量装置１２により地表面の光学撮影及びレーザ測量を行う。また、座標取得装置１４が、光学撮影及びレーザ測量を行った時点で座標を取得する。これにより、光学撮影した画像及びレーザ測量した点に座標情報を関連付けることができる。
【００１８】
図３には、図１に示された制御装置１６の一実施形態の機能ブロック図が示される。図３において、制御装置１６は、正射投影作成部１８、ＤＳＭ生成部２０、レーザ点群データ生成部２２、オブジェクト生成部２４及び合成部２６を含んで構成されている。これら制御装置１６の各機能は、中央処理装置（例えばＣＰＵを用いることができる）及びＣＰＵの処理動作を制御するプログラムにより実現され、例えばパーソナルコンピュータ上で構成することができる。
【００１９】
正射投影作成部１８は、光学カメラ１０で取得した地表面の光学画像から正射投影図（ツルーオルソ）を作成する。この正射投影図では、画素毎に高さ情報を有している。
【００２０】
ＤＳＭ生成部２０は、上記正射投影図の高さ情報を使用して、建物、樹木等を含む地表面の数値表層モデル（ＤＳＭ：Digital Surface Model)を生成する。正射投影図では、地表面に存在する建物等の倒れこみが発生しないので、ＤＳＭを容易に生成することができる。
【００２１】
レーザ点群データ生成部２２は、レーザ測量装置１２による地表面のレーザ測量結果に基づき、三次元点群データを生成する。
【００２２】
オブジェクト生成部２４は、上記ＤＳＭ生成部２０が生成したＤＳＭの高さデータ及びレーザ点群データ生成部２２が生成した地表面の三次元点群データの高さデータを、建物等の対象物（オブジェクト）毎に一塊化する。
【００２３】
合成部２６は、上記オブジェクト生成部２４が一塊化したＤＳＭの高さデータ及び三次元点群データ毎に、座標取得装置１４が取得した座標情報を抽出し、この座標情報に基づいて各オブジェクト毎に光学画像と三次元点群データとを合成する。この合成処理では、光学画像が有している高さ情報が、レーザ測量により得られた三次元点群データの高精度な高さ情報に置き換えられる。これにより、高精度の高さ情報を有する光学画像を得ることができ、高精度の空間情報データベースを生成できる。
【００２４】
図４には、上記制御装置１６の動作例のフローが示される。また、図５（ａ）、（ｂ）、（ｃ）には、制御装置１６における光学画像と三次元点群データとの合成処理の説明図が示される。なお、図４では、光学カメラ１０により取得された地表面の光学画像と、レーザ測量装置１２による地表面のレーザ測量結果とが制御装置１６に入力されていることを前提としている。
【００２５】
図４において、正射投影作成部１８が上記光学画像から正射投影図を作成し、ＤＳＭ生成部２０が正射投影図からＤＳＭを生成する（Ｓ１）。
【００２６】
図５（ａ）は、２つの建物Ａ，Ｂが存在する測量地域の光学画像から生成したＤＳＭの例である。光学画像の場合には、建物Ａ，Ｂの輪郭が鮮明なＤＳＭとすることができる。
【００２７】
また、図４において、レーザ点群データ生成部２２が、レーザ測量装置１２による地表面のレーザ測量結果に基づき、三次元点群データを生成する（Ｓ２）。
【００２８】
図５（ｂ）には、図５（ａ）と同じ測量地域をレーザ測量した場合の概念図である。レーザ測量では、建物Ａ，Ｂ及びその周辺にレーザ光を照射し、照射点の高さ情報を取得する。その高さ情報を取得した点（レーザ測量点）が図５（ｂ）の白丸（○）で表されている。
【００２９】
次に、オブジェクト生成部２４が、ＤＳＭの高さデータ及び三次元点群データの高さデータを、建物等のオブジェクト毎に一塊化する（Ｓ３）。
【００３０】
ＤＳＭの高さデータを一塊化すると、例えば図５（ａ）に示される建物Ａ，Ｂが、別々のオブジェクトとして認識される。また、三次元点群データの高さデータを一塊化すると、図５（ｃ）に示されるように、建物Ａ，Ｂ上のレーザ測量点がグルーピングされ、建物Ａ，Ｂに属する測量点の組を別オブジェクトとして認識することができる。これにより、ＤＳＭの高さデータ及び三次元点群データの高さデータを、相似性を有するオブジェクト毎に対応付けることが可能となる。
【００３１】
次に、合成部２６が、上記一塊化したＤＳＭの高さデータ及び三次元点群データから同一のオブジェクトを抽出し、対応付けを行う（Ｓ４）。この対応付けは、座標取得装置１４が取得し、光学画像及び三次元点群データに持たせておいた座標情報を使用し、各オブジェクトの位置情報（地上座標を含む地表面座標）が一致するか否かを判定して行う。これにより、例えば図５（ａ）の建物Ａ，Ｂと、図５（ｃ）の建物Ａ，Ｂとの対応付けを行うことができる。
【００３２】
さらに、合成部２６は、対応づけられたオブジェクト毎に、光学画像が有している高さ情報を、レーザ測量により得られた三次元点群データの高精度な高さ情報に置き換える（Ｓ５）。
【００３３】
以上の工程により、レーザ測量により取得した高精度の高さ情報を光学画像に反映した、高精度の空間情報データベースを得ることができる。
【図面の簡単な説明】
【００３４】
【図１】本発明にかかる空間情報データベース生成装置の一実施形態の構成例を示す図である。
【図２】本発明にかかる空間情報データベース生成装置を航空機に搭載し、地表面の測量を行う場合の説明図である。
【図３】図１に示された制御部の一実施形態の機能ブロック図である。
【図４】図１に示された制御部の動作例のフロー図である。
【図５】光学画像と三次元点群データとの合成処理の説明図である。
【符号の説明】
【００３５】
１０  光学カメラ、１２  レーザ測量装置、１４  座標取得装置、１６  制御装置、１８  正射投影作成部、２０  ＤＳＭ生成部、２２  レーザ点群データ生成部、２４  オブジェクト生成部、２６  合成部、１００  航空機、１０２  ＧＰＳ衛星、１０４  ＧＰＳ地上参照局。
【図１】
0004852006.tif 000002
【図２】
0004852006.tif 000003
【図３】
0004852006.tif 000004
【図４】
0004852006.tif 000005
【図５】
0004852006.tif 000006